(57)【要約】  送信信号の受信可能バージョンである受信信号から通信路の通信路伝達関数を反復的に推定する装置。送信信号は通信路を介して送信され、送信信号は送信系列の周波数−時間変換されたバージョンであり、送信系列は処理スキームを使用してデータ系列を処理することから生じる。前記装置は、受信信号のスペクトルのバージョンからデータ系列の推定値を取得する検波器（１０１）、データ系列の推定値を処理し、処理スキームを使用して送信系列の推定値を取得するプロセッサ（１０７）、送信系列の推定値及び受信信号のスペクトルを使用して通信路伝達関数を推定し、通信路伝達関数の推定値を取得する通信路推定器（１１３）を含む。通信路推定器は、周波数点における送信系列の推定値の振幅が閾値よりも小さいとき、所定の値を、周波数点における通信路伝達関数の推定値として提供するか、周波数点における送信系列の推定値の振幅が閾値より大きいとき、周波数点における送信系列の推定値を周波数点における受信信号のスペクトル値と組み合わせて、周波数点における通信路伝達関数の推定値を取得するように構成され、プロセッサ（１０７）は、更なる反復のために、送信系列の推定値を受信信号のスペクトルのバージョンとして提供するように構成される。
2008512013.tif 000002
【特許請求の範囲】
【請求項１】
ある処理スキームを用いる処理を行ってデータ系列から生じる送信系列を周波数−時間変換したバージョンであり、通信路を通して送信される送信信号について、該送信信号の受信可能バージョンである受信した信号から通信路の通信路伝達関数を反復的に推定する装置であって、
前記受信信号のスペクトルのあるバージョンから前記データ系列についての推定値を取得する検波器（１０１）と、
前記処理スキームを使用して前記データ系列についての推定値を処理し、前記送信系列についての推定値を取得するプロセッサ（１０７）と、
送信系列の該推定値及び受信信号の前記スペクトルを使用して通信路伝達関数を推定し、該通信路伝達関数の推定値を取得する通信路推定器（１１３）と
を備えてなり、該通信路推定器は、ある周波数点における送信系列の推定値（１０９）の振幅が閾値より小さいとき、ある所定値を前記周波数点における通信路伝達関数の推定値として提供し、前記周波数点における送信系列の推定値の振幅が閾値より大きいとき、前記周波数点における送信系列の推定値を該周波数点における受信信号のスペクトルの値と組み合わせて、該周波数点における通信路伝達関数の推定値を取得するものであり、前記プロセッサ（１０７）は、更なる反復のために、送信系列の推定値を、受信信号のスペクトルのバージョンとして検波器（１０１）へ提供するものであり、前記検波器（１０１）は、更なる反復によって通信路伝達関数の推定値からデータ系列の更なる推定値を取得するものである、装置。
【請求項２】
前記検波器（１０１）は、送信系列についての推定値からデータ系列についての更なる推定値を取得し、前記プロセッサ（１０７）は、データ系列の更なる推定値を処理して前記送信系列の更なる推定値を受信信号のスペクトルのバージョンとして取得するものであり、前記通信路推定器（１１３）は、送信系列の該更なる推定値を使用して通信路伝達関数を推定し、該通信路伝達関数の推定値を取得するものである、請求項１に記載の装置。
【請求項３】
前記所定値がゼロであるか、又は前の反復において取得された周波数点における通信路伝達関数の推定値である、請求項１又は２に記載の装置。
【請求項４】
前記閾値は、０と、可能な送信系列値の集合からの最小送信系列値に対する１０％値との間の範囲にある、請求項１〜３のいずれかに記載の装置。
【請求項５】
前記通信路推定器（１１３）は、最小二乗推定又は最小平均二乗誤差推定を実行して通信路伝達関数の推定値を取得する、請求項１〜４のいずれかに記載の装置。
【請求項６】
前記通信路推定器（１１３）は、送信系列の推定値によって受信系列のスペクトル値を除算するか、送信系列の推定値の複素共役値を受信系列のスペクトル値に掛けて、最小二乗推定を実行する、請求項５に記載の装置。
【請求項７】
受信信号の前記スペクトルがスペクトル値の集合を含み、スペクトル値の集合の中の各々のスペクトル値は、同じ周波数点における異なる時点で受け取られるものであり、前記通信路推定器（１１３）は、異なる時点について該周波数点における通信路伝達関数を推定する、請求項１〜６のいずれかに記載の装置。
【請求項８】
受信信号の前記スペクトルが副搬送波値の集合を含み、副搬送波値の該集合の中の副搬送波値のそれぞれは、異なる周波数点に関連し、前記通信路推定器（１１３）が、異なる周波数点における通信路伝達関数を推定する、請求項１〜７のいずれかに記載の装置。
【請求項９】
受信信号の前記スペクトルが受信値の集合を含み、受信値の該集合は、パイロット位置におけるパイロット記号の受信バージョンを含み、該パイロット記号は通信路推定のために送信機によって送信され、前記通信路推定器（１１３）が、パイロット記号、及びパイロット記号の受信バージョンを使用して、パイロット位置における通信路伝達関数を推定する、請求項１〜８のいずれかに記載の装置。
【請求項１０】
前記受信値の前記集合が、パイロット記号の前記受信バージョンの間の中間位置におけるデータ値を含み、前記通信路推定器（１１３）が、パイロット位置における通信路伝達関数の推定値の間を補間することによって、前記中間位置における通信路伝達関数を推定する、請求項９に記載の装置。
【請求項１１】
前記通信路推定器（１１３）は、前記中間位置にゼロを挿入して前記通信路伝達関数のゼロ充填推定値を取得し、前記通信路伝達関数についての該ゼロ充填推定値をフィルタリングして通信路伝達関数の推定値を取得する、請求項１０に記載の装置。
【請求項１２】
前記通信路推定器（１１３）が、通信路伝達関数の推定値をフィルタリングして通信路伝達関数の平滑化された推定値を取得し、通信路伝達関数の平滑化された推定値を通信路伝達関数として検波器（１０１）へ提供する、請求項１〜１１のいずれかに記載の装置。
【請求項１３】
前記通信路推定器（１１３）が、通信路伝達関数の推定値をローパス・フィルタリングする、請求項１２に記載の装置。
【請求項１４】
前記通信路推定器（１１３）が、通信路伝達関数の推定値をウィーナーフィルタリングするように構成される、請求項１２及び１３に記載の装置。
【請求項１５】
受信信号を時間−周波数変換して受信信号のスペクトルを取得する時間−周波数変換器を含む、請求項１〜１４のいずれかに記載の装置。
【請求項１６】
前記検波器が、通信路伝達関数についての前記推定値を使用して受信信号のスペクトルのバージョンを等化し、等化された系列を取得し、等化された該系列の中のデータ系列を検波してデータ系列の推定値を取得する、請求項１〜１５のいずれかに記載の装置。
【請求項１７】
検波器（１０１）が、受信信号のスペクトルのバージョンを周波数領域において等化するように構成される、請求項１６に記載の装置。
【請求項１８】
処理スキームが、データ系列を符号化して符号化された系列を取得し、符号化された該系列を変調することを含む、請求項１〜１７のいずれかに記載の装置。
【請求項１９】
入力信号を復調して受信信号を取得する復調器と、
受信信号を時間−周波数変換して受信信号のスペクトルを取得する時間−周波数変換器と、
通信路伝達関数を反復的に推定する請求項１〜１８のいずれかに記載の装置と
を備えてなる受信機装置。
【請求項２０】
ある処理スキームを用いる処理を行ってデータ系列から生じる送信系列を周波数−時間変換したバージョンであり、通信路を通して送信される送信信号について、該送信信号の受信可能バージョンである受信した信号から通信路の通信路伝達関数を反復的に推定する方法であって、
前記受信信号のスペクトルのバージョンからデータ系列についての推定値を取得し、
前記処理スキームを使用して前記データ系列についての推定値を処理し、前記送信系列についての推定値を取得し、
送信系列の該推定値及び受信信号の前記スペクトルを使用して通信路伝達関数を推定し、該通信路伝達関数についての推定値を取得し、送信系列の該推定値の振幅が閾値より小さいとき、前記周波数点における通信路伝達関数の推定値としてある所定値が提供され、該周波数点における送信系列の推定値の振幅が閾値より大きいとき、送信系列の推定値が周波数点における受信信号のスペクトル値と組み合わせられて、該周波数点における通信路伝達関数の推定値が取得され、
通信路伝達関数の該推定値を使用して、更なる反復によってデータ系列の更なる推定値を取得する
ことを含む方法。
【請求項２１】
入力信号を復調して受信信号を取得するステップと、
受信信号を時間−周波数変換して受信信号のスペクトルを取得するステップと、
請求項２１に従って受信信号から通信路伝達関数を反復的に推定するステップと
を含む、受信方法。
【請求項２２】
コンピュータで実行するとき、請求項２０又は２１に記載の方法を実行するコンピュータ・プログラム。
【発明の詳細な説明】
【技術分野】
【０００１】
本発明は電気通信の分野に関し、具体的には、反復的に（iteratively）行う通信路の推定の分野に関する。
【背景技術】
【０００２】
通信路伝達関数を推定するためには、いわゆるパイロット記号を送信することができる。受信機では、パイロット記号及びその受信バージョンを組み合わせることによって、通信路伝達関数を推定することができる。
【０００３】
しかし、通信路を推定するため多数のパイロット記号を送信することは、情報の伝送に利用できる帯域幅の低減と結びつく。したがって、通信路推定のために送信されるパイロット記号の数を低減することが肝要である。しかし、特に時間的な変化を伴う変通信路の場合、低減された数のパイロット記号では、正確な通信路推定に不十分となり得るため、例えば、通信路伝達関数の誤った推定値を使用する検波プロセスにおいて、ビット誤り率が増加する可能性がある。
【０００４】
推定の誤りを低減するため、反復的な通信路推定を実行することができる。反復的通信路推定スキームは、次のステップを含む。即ち、受信系列の中のデータ系列を検波してデータ系列の第１の推定値を取得し、データ系列を処理、例えば、データ系列を再符号化及び再変調して、送信系列の推定値を疑似パイロット系列として取得し、送信系列の推定値を受信系列と組み合わせて通信路推定値を取得する。この通信路推定値は、データ系列などの更なる推定値を取得するため、後の反復ステップにおいて使用される。しかし、反復的通信路推定には、データ系列の初期推定値（粗い推定値）または通信路の初期推定値が必要である。初期通信路推定値は、最初に送信されたパイロット記号に基づいて初期通信路推定段階で取得することができる。
【０００５】
初期通信路推定の段階では、参照記号の一般的なフィルタリング、平滑化、又は補間による参照記号援助通信路推定（ＲＡＣＥ；reference symbol added channel estimation）を考慮することができる。このタイプの通信路推定は、２つのステップに分けられる。第１に、参照記号の位置で、最小二乗法によって初期の通信路状態情報（ＣＳＩ＝通信路状態情報；channel state information）の推定値が計算される。第２に、参照記号の位置からの初期推定値がフィルタリング、平滑化、又は補間されて、ＣＳＩの完全な推定値が取得される。
【０００６】
ＲＡＣＥの例として、ウィーナーフィルタリングによるパイロット援助通信路推定（ＰＡＣＥ; pilot aided channel estimation）が考えられる。このタイプの通信路推定（ＣＥ; channel estimation）は、通信路の第２順序統計量が完全に知られているとき、平均二乗誤差（ＭＳＥ）の点で最適である。通信路の相関特性は、実際には完全に知られていないから、ロバストな設計を選択することができる。これは、フィルタ係数の集合を前もって計算し、受信機における通信路推定器の複雑度を低減できるという利点を有する。
【０００７】
文献において、ＩＣＥ（ＩＣＥ＝反復的通信路推定）は詳細に研究されている。例えば、ＯＦＤＭについては、F.Sanzi and S.ten Brink,「Iterative channel estimation and decoding with product codes in multi-carrier systems,」 Boston,MA,USA,2000.pp.1338-1344に開示され、CDMAについては、T.M.Schmidl,A.G.Dabak,and S.Hosur,「The use of iterative channel estimation(ICE)to improve link margin in wideband CDMA systems」,in IEEE 49th Vehicular Technology Conference,1999(VTC 1999)に開示され、MC-CDMAについては、V.Kuehn,「Iterative interference cancellation and channel estimation for coded OFDM-CDMA,」 Anchorage,Alaska,USA,May 2003,IEEEに開示されている。
【０００８】
F.Sanzi, S.Jelting,and J.Speidel,「A comparative study of iterative channel estimators for mobile OFDM systems」, IEEE Trans. Wireless Commun, pp.849-859,Sept.2003及びF.Sanzi, Kanalschaetzverfahren fuer Mobilfunksysteme mit Mehrtraegermodulation OFDM,Ph.D.thesis, Universitaet Stuttgart,2003は、周波数領域でのマルチキャリヤ方式について前述したような初期及び後の段階における２ステップ通信路推定を有するＩＣＥを考察している。この場合、ＯＦＤＭ方式は、Ｍ項位相偏移変調（ＰＳＫ）記号アルファベットから取られた記号を各々の副搬送波上で送信する。このアルファベットはゼロ記号を含まないから、P.Hoeher,S.Kaiser,and P.Robertson,「Pilot-symbol-aided channel estimation in time and frequency,」 in Proceedings IEEE GLORECOM,Phoenix,USA,Apr.1997,Vol.3,pp.90-96のフィルタリングによるＣＥの２つのステップを直接実行することができる。更に、F.Sanzi,Kanalschaetzverfahren fuer Mobilfunksysteme mit Mehrtraegermodulation OFDM,Ph.D.thesis,Universitaet Stuttgart,2003は、ICEのための参照記号としてソフト判定記号（soft-decided symbol）を考慮する。これはＭ項直交振幅変調（ＱＡＭ）記号アルファベットについてゼロになる可能性がある。ＬＳ推定でゼロによる除法を避けるため、F.Sanzi,Kanalschaetzverfahren fuer Mobilfunksysteme mit Mehrtraegermodulation OFDM,Ph.D.thesis,Universitaet Stuttgart,2003は、受信参照記号をソフト判定記号の分散で割り、それにソフト判定記号を掛けることによって、ＬＳ推定値を近似することを提案する。
【０００９】
しかし、単なる例として以下で考察されるＭＣ−ＣＤＭＡ方式（ＭＣ−ＣＤＭＡ＝マルチキャリヤ符号分割多元接続）は、ユーザ当たり及びＯＦＤＭ記号当たりで、Ｍ個のデータ記号を並列に送信し、各々のデータ記号は長さＬのＷＨ（ＷＨ＝ウォルシュ・アダマール）符号で拡散される。例えば、ＷＨ符号を使用して拡散される系列（拡散系列）の重ね合わせに起因して、ゼロ値となる副搬送波が生じ得る。その結果、これらの副搬送波は、ＩＣＥにおけるＬＳ推定値の計算には使用することはできない。
【００１０】
F.Sanzi,Kanalschaetzverfahren fuer Mobilfunksysteme mit Mehrtraegermodulation OFDM,Ph.D.thesis,Universitaet Stuttgart,2003によって提案された方法は、ＭＣ−ＣＤＭＡ方式へ拡張可能である。しかし、本方法は、次の欠点を有する。全ての可能な配置点、即ち、２MK個の点にわたって、ＩＣＥに使用される各々のソフト記号の分散及び値を計算することが必要である。ここで、Ｍは記号当たりのビット数であり、Ｋはアクティブユーザの数である。これはＣＥの複雑度を著しく増大させる。ＷＨ拡散に起因して、ゼロ値の副搬送波は高い確率で生成され得る。このようにして、ソフト記号について分散はほとんどゼロになることができる。更に、ＬＳ通信路推定値の近似は、雑音を大きく増大させ、また、通信路推定値を劣化させる。更に、近似はハード判定の記号（hard-decided symbols）には有効ではなく、ソフト判定の記号のみに有効である。
【発明の開示】
【発明が解決しようとする課題】
【００１１】
本発明の目的は、複雑度を削減した効率的な反復的通信路推定スキームを提供することである。
【課題を解決するための手段】
【００１２】
この目的は、請求項１に従って通信路伝達関数を反復的に推定する装置、又は請求項１９に従った受信機装置、又は請求項２０に従って通信路伝達関数を反復的に推定する方法、又は請求項２１に従った受信方法、又は請求項２２に従ったコンピュータ・プログラムによって達成される。
【００１３】
本発明は、送信系列の推定値の振幅を閾値と比較することによって、ゼロによる除算を効率的に回避できるという知見に基づく。送信系列の推定値は、更なる反復のために疑似パイロット（参照）系列として使用される。値が実数値であれば、「振幅」の用語は絶対値を意味する。値が複素数値であれば、「振幅」の用語は複素数値の絶対値又は値の実数部分あるいは虚数部分の絶対値を意味する。
【００１４】
値の振幅が閾値よりも小さければ、送信系列の推定値に関連づけられた周波数点で、所定の値が通信路伝達関数の推定値として提供される。所定の値は、例えば、ゼロと、前の反復ステップで取得された非ゼロ値の１０％との間の値であってよい。好ましくは、所定の値はゼロに等しい。
【００１５】
周波数点における送信信号の値の振幅が閾値よりも大きい場合、その周波数点における通信路伝達関数の推定値は、周波数領域における任意の既知の通信路推定スキームを使用して計算される。
【００１６】
したがって、通信路伝達関数の推定値は、閾値よりも小さい（又は等しい）振幅を有する送信系列の推定値に関連づけられた位置においてゼロを含んでよい。ゼロとなる位置における通信路伝達関数の推定値を取得するため、補間を実行することができる。更に、通信路伝達関数の推定値は、例えば、ローパス・フィルタを使用してフィルタリングされ、通信路伝達関数の平滑化された推定値が取得されてよい。平滑化された推定値は、例えば、送信系列の推定値の中のデータ系列を検波する後の検波プロセスで使用され、データ系列などの更なる推定値が取得される。
【発明の効果】
【００１７】
複雑度が低減するのは、例えば、送信機でゼロの副搬送波が生じる場合、対応する周波数点で通信路が励起されないという事実に起因する。したがって、その周波数点における通信路の任意の推定値は誤りとなる。したがって、本発明によれば、例えば、励起されない周波数点における通信路伝達関数の推定値をゼロへ設定するとき、通信路推定スキームの複雑度を減少させることができ、推定スキームの安定度を増大させることができる。送信系列の推定値の中のデータ系列を反復的に検波するとき、同じ状況が現れるであろう。ある検波段階において、送信系列のある推定値は、例えば、推定又は復号誤りのために小さくなるかも知れない。したがって、そのような値から取得された通信路伝達関数の推定値も、誤りであるかも知れない。本発明によれば、これらの周波数点に関連づけられた通信路伝達関数の係数は、例えば、ゼロへ設定され、一般的に、複雑度の減少及び安定度の増大が達成され得る。しかし、ゼロへ設定される周波数点における通信路伝達関数の信頼できる推定値は、例えば、前述したフィルタリング手段によって取得可能である。
【００１８】
更に、本発明による解決法を用いることにより、ＭＣ−ＣＤＭＡ方式（ＭＣ−ＣＤＭＡ＝マルチキャリヤ符号分割多元接続）についてＲＡＣＥを改善することができる。なぜなら、本発明によるＩＣＥは容易に実現可能だからである。それはフィルタリングを使用し、フィルタリング、平滑化、又は補間によって、ＲＡＣＥを少しだけ修正すればよいからである。ＰＡＣＥの特別の場合、及びロバストな仮定で、通信路推定器の複雑度を低く維持しながらフィルタ係数の第２の集合を前もって計算する必要があるにすぎない。
【００１９】
本発明の更なる実施形態は、以下の図面に関して説明される。
【発明を実施するための最良の形態】
【００２０】
図１は、受信信号のスペクトルから、送信点と受信点との間に延びる通信路の通信路伝達関数を反復的に推定する装置のブロック図である。推定される通信路伝達関数は、通信路の通信路インパルス応答のスペクトルに対応する。通信路のスペクトルは、例えば、フーリエ変換手段によって、例えば、通信路インパルス応答を周波数領域へ時間−周波数変換することによって取得されることができる。
【００２１】
本発明によれば、通信路変換関数は、送信信号の受信可能バージョンである受信信号から反復的に（iteratively）推定される。更に具体的には、通信路伝達関数は、送信信号の受信バージョンである受信信号のスペクトルから推定される。送信信号は通信路を介して送信される。例えば、送信信号は、例えば、逆フーリエ変換を使用して送信系列を周波数−時間変換することにより生成される時間領域マルチキャリヤ信号である。ここで、送信系列は処理スキームを使用してデータ系列を処理することによって生成されることができる。
【００２２】
処理スキームは、送信系列が取得されるように、情報系列であってよいデータ系列を処理するために必要な全ての処理機能性を含んでよい。処理スキームは、例えば、符号化スキーム、例えば、畳み込み符号化又はブロック符号化、インタリービング、例えば、ＱＡＭスキーム（ＱＡＭ＝直交振幅変調）を使用するマッピング（変調）、複数の並列ストリームを取得するための直列−並列変換、各々のストリームについて、例えば、アダマール符号を使用する拡散スキーム、並列−直列変換、更なるインタリービング、及び、例えば、ＯＦＤＭ変調スキームの適用（ＯＦＤＭ＝直交周波数分割多重変調）を含んでよい。ＯＦＤＭスキームは、逆フーリエ変換を使用して、時間領域における結果の送信系列を変換して送信信号を取得する。更に、送信系列は、あるパイロット位置に、パイロット記号を含んでよい。パイロット記号は、通信路を推定する目的で、処理されるデータ系列の中へ送信機によって挿入される。
【００２３】
データ系列を検波するため、図１で示される装置は、入力１０３及び出力１０５を有する検波器１０１を含む。出力１０５はプロセッサ１０７の入力へ結合され、プロセッサ１０７は出力１０９を有する。
【００２４】
プロセッサ１０７の出力１０９は検波器１０１の入力１０３へ結合される。更に、プロセッサ１０７の出力１０９は、通信路推定器１１３の入力１１１へ結合される。ここで、通信路推定器１１３の出力は検波器１０１の更なる入力１１５へ結合される。
【００２５】
検波器１０１は、受信信号のスペクトルのバージョンからデータ系列の推定値を取得するように構成される。ここで、受信信号のスペクトルは、例えば、時間領域受信信号のフーリエ変換である。検波器１０１は、入力１０３を介して受信信号のスペクトルのパージョンを受け取るように構成される。受信信号のスペクトルのバージョンは、プロセッサ１０７によってデータ系列の推定値を処理することから生じる。プロセッサ１０７は、出力１０９を介して受信信号のスペクトルのバージョンを提供するように構成される。
【００２６】
最初の反復ステップにおいて、検波器１０１へ提供される受信信号のスペクトルのバージョンは、受信信号の原型のスペクトルであってよい。しかし、反復の間に、受信信号のスペクトルの異なる（処理された）バージョンが取得され、したがって検波器は、受信信号のスペクトルの異なるバージョンからデータ系列を推定するようにされる。
【００２７】
検波器１０１は、入力系列の中のデータ系列を検波することのできる任意の検波器であってよい。検波器は、ハード判定動作を実行するか、ソフト判定動作を実行するか、等化（equalize）するか、又は復号するか、などを行うように構成されてよい。
【００２８】
プロセッサ１０７は、検波器１０１によって提供されたデータ系列の推定値を受け取り、処理スキームを使用してデータ系列の推定値を処理し、送信系列の推定値を取得するように構成される。言い換えれば、プロセッサ１０７は、送信機で実行される処理スキームをエミュレートして、送信系列の推定値を取得するように構成される。反復的な通信路推定スキームに従えば、送信系列の推定値は、更なる反復によって通信路推定に利用される疑似参照系列として考えられる。
【００２９】
現在の疑似パイロット系列を表す送信系列の推定値は、通信路推定のために検波器１１３へ提供される。通信路伝達関数の更新された推定値を取得するため、検波器１１３は、受信信号のスペクトルのバージョンを表す送信系列の推定値を、受信信号のスペクトル、即ち、受信信号の原型のスペクトルと組み合わせることができ、通信路伝達関数の推定値又は更なる推定値が取得される。
【００３０】
プロセッサ１０９によって提供される送信系列の推定値が、各々の反復ステップの後で、送信機によって原型として送信される送信系列へ近くなるという仮定の下では、各々の反復ステップの後に、通信路伝達関数の推定値における推定誤りが小さくなる。
【００３１】
通信路伝達関数が周波数領域で推定されるのであれば、ある周波数点における通信路情報を含む受信信号のスペクトルは、ある周波数点における送信系列の推定値によって除算され、ある周波数点における通信路伝達関数の推定値が取得されてよい。しかし、ある周波数点における送信系列の推定値は、例えば、ゼロであるかゼロに近い振幅を有するかも知れない。これは、マルチキャリヤＣＤＭＡ伝送の場合に起こるかも知れない。その場合、周波数領域において、例えば、Ｋ個のストリームが重ね合わせられて、合成されたストリームが取得される。ここで、Ｋ個のストリームの各々は、拡散された系列を表す。この場合、Ｋ個のストリームを重ね合わせると干渉が生じ、結果の合成ストリームをほとんどゼロにするかも知れない。更に、ある周波数点における送信系列の推定値の振幅は、現在の反復ステップでのみゼロへ近くなり、更なる反復ステップではゼロを著しく超過するかも知れない。これは、送信系列の前の推定値からデータ系列を検波し、処理スキームを使用してデータ系列を再処理することに起因する。再処理では、例えば、再符号化、再変調、及び再拡散を適用することができる。検波及び処理の結果は送信系列の前の推定値の品質及びデータ系列の推定値に依存するので、検波プロセスは動的であり、ある反復ステップで取得されたゼロの推定値が、更なる反復ステップでは、ゼロとは異なるかも知れない。
【００３２】
しかし、ゼロ又は非常に小さい値で割ることは、前述した問題、例えば、不安定度及び推定誤りの増加に結びつく。
【００３３】
本発明による通信路推定器１１３は、プロセッサ１０７によって提供された送信系列の推定値及び受信信号のスペクトルを使用して通信路伝達関数を推定し、通信路伝達関数の推定値を取得するように構成される。この場合、通信路推定器は、図１で示されるように、送信系列の推定値の振幅が閾値よりも小さいとき、周波数点における通信路伝達関数の推定値として所定の値を提供するように構成され、又は周波数点における送信系列の推定値の振幅が閾値より大きいとき、周波数点における送信系列の推定値を周波数点における受信信号のスペクトル値と組み合わせて、通信路伝達関数の推定値を取得するように構成される。
【００３４】
言い換えれば、通信路推定器１１３は、周波数点における送信系列の推定値の振幅に依存して、通信路伝達関数を推定するように構成されるか、周波数点における通信路伝達関数の推定値について所定の値を提供するように構成される。
【００３５】
本発明の態様によれば、所定の値は、０と、周波数点における通信路伝達関数の前の推定値の１０％との範囲であってよい。更に、所定の値は、前の反復で取得される周波数点における通信路伝達関数の推定値に対応してよい。
【００３６】
本発明によれば、送信系列の推定値の振幅が比較される閾値は、例えば、送信系列の可能な最小値に依存して、自由に選ばれてよい。例えば、送信系列の値は、例えば、ＱＡＭスキーム又は１６ＱＡＭスキームに属する信号空間配置点に対応する。言い換えれば、送信系列の値は複素数であってよい。その場合、値の大きさは、周波数領域の中の半径を決定する。したがって、送信系列の推定値も複素数値になる。
【００３７】
閾値は、送信機で使用されるマッピング・スキーム、例えば、ＱＡＭに関連づけられた最小振幅によって決定される値であってよい。例えば、閾値は、最小絶対値の１０％、例えば、マッピング・スキームに関連づけられた信号空間領域における最小半径の１０％である。
【００３８】
本発明によれば、通信路推定器１１３は、別々に送信系列の推定値の実数部分の振幅を閾値と比較し、及び／又は送信系列の推定値の虚数部分の振幅を閾値と比較するように構成されてよい。ここで、実数部分のために選ばれる閾値は、虚数部分のために選ばれる閾値とは異なっていてよい。
【００３９】
本発明の更なる態様によれば、通信路推定器１１３は、送信系列の推定値の振幅としての絶対値を閾値と比較するように構成されてよい。言い換えれば、通信路推定器１１３は、通信路伝達関数の各々の推定値について、大きさ、即ち、絶対値を決定し、計算された大きさを閾値と比較するように構成されてよい。
【００４０】
本発明によれば、通信路推定器は、送信系列の各々の推定値を解析し、送信系列の推定値を受信系列のスペクトルの対応する値と組み合わせることによって通信路伝達関数の推定値を計算し、例えば、送信系列の推定値に関連づけられた位置における通信路伝達関数の推定値を取得するように構成されてよい。ここで、通信路伝達関数の推定値は、更なる反復で使用される。その場合、検波器１０１は、送信系列の推定値からデータ系列の更なる推定値を取得するように構成されてよい。それは、更なる反復によって通信路伝達関数などの更なる推定値を取得するためである。
【００４１】
例えば、プロセッサ１０７は、データ系列の更なる推定値を処理し、送信系列の更なる推定値を、現在の反復ステップで取得される受信信号のスペクトルのバージョンとして取得するように構成されてよい。通信路推定器１１３は、送信系列の更なる推定値を受け取り、送信系列の更なる推定値を使用して通信路伝達関数を推定し、通信路伝達関数の推定値、又は通信路伝達関数などの更なる推定値を取得するように構成されてよい。
【００４２】
通信路伝達関数を推定するため、検波器１１３は、周波数領域で最小二乗推定又は最小平均二乗誤差推定を実行するように構成されてよい。
【００４３】
例えば、通信路推定器１１３は、受信系列のスペクトル値を送信系列の推定値で割るか、受信系列のスペクトル値に送信系列の推定値の複素共役バージョンを掛けて、最小二乗推定を実行し、組み合わせられた値に関連づけられた位置における通信路伝達関数の推定値を取得するように構成されてよい。
【００４４】
本発明によれば、通信路伝達関数は、異なる周波数点に関連づけられた係数を含んでよい。言い換えれば、通信路伝達関数の推定値は、ある時点における周波数にわたって通信路伝達関数の特性を提供する。しかし、通信路伝達関数の推定値は、時間にわたるある周波数点についての通信路特性に関連づけられてよい。一般的に、通信路伝達関数の推定値の係数は、同じ周波数点及び異なる時点に関連づけられて、時変通信路条件を考慮に入れてよい。これに対応して、通信路伝達関数の推定値は、時間にわたる通信路の周波数特性の変動を含んでよい。
【００４５】
例えば、受信信号のスペクトルはスペクトル値の集合を含んでよい。スペクトル値の集合の中の各々のスペクトル値は、同じ周波数点の異なる時点で受け取られる。通信路推定器１１３は、通信路推定スキームを使用して、異なる時点の周波数点で通信路伝達関数を推定するように構成されてよい。
【００４６】
更に、受信信号のスペクトルは副搬送波値の集合を含んでよい。各々の副搬送波値は、異なる周波数点に関連づけられ、各々の副搬送波値は同じ時点で受け取られる。通信路推定器１１３は、この場合、異なる周波数点における通信路伝達関数を推定するように構成されてよい。
【００４７】
本発明によれば、通信路伝達関数は、本発明による通信路推定スキームを使用して反復的に決定される。しかし、データ系列の初期推定値が必要であるかも知れない。データ系列の初期推定値を取得するため、通信路伝達関数の初期推定値が必要であるかも知れない。
【００４８】
通信路伝達関数の初期推定値は、通信路推定のパイロット記号が利用可能である時点で、パイロット記号援助推定スキームを実行することによって取得されてよい。送信機は、ある時点でのみパイロット記号を送信し、処理されたデータ系列の中へパイロット記号を挿入し、結果の送信系列のある位置でパイロット記号を送信するように構成されてよい。例えば、送信機は、送信系列のあるパイロット位置にパイロット記号を挿入するように構成されてよい。ここで、パイロット位置は、異なる周波数点又は異なる時点に関連づけられてよい。
【００４９】
パイロット記号が送信されるのであれば、受信信号のスペクトルは、パイロット位置でパイロット記号の受信バージョンを含む受信値の集合を含み、パイロット記号は通信路推定のために送信機によって送信される。例えば、パイロット記号の間に置かれる値の集合の中の値は、処理スキームを使用してデータ系列を処理することから生じた処理データ系列の値に対応してよい。
【００５０】
パイロット記号に基づいて、通信路推定器１１３は、パイロット記号、及びパイロット記号の受信バージョンを使用して、パイロット位置における通信路伝達関数を推定するように構成されてよい。なぜなら、原型として送信されたパイロット記号は、通常、受信機で知られており、したがって通信路推定に利用可能だからである。
【００５１】
パイロット記号の位置が、中間位置である数の値だけ離されているならば、即ち、受信値の集合が、パイロット記号の受信バージョンの間の中間位置でデータ値を含むならば、通信路推定器１１３は、パイロット位置における通信路伝達関数の推定値の間を補間することによって、中間位置における通信路伝達関数を推定するように構成されてよい。言い換えれば、通信路推定器１１３は、パイロット記号が利用可能な、例えば、周波数点又は時点で通信路伝達関数を推定し、これらの位置における通信路伝達関数の推定値の係数をフィルタリング又は補間の支持点として使用して、中間位置における通信路伝達関数の推定値の係数を取得するように構成される。
【００５２】
例えば、通信路推定器は、中間位置にゼロを挿入して通信路伝達関数のゼロ充填推定値を取得し、通信路伝達関数のゼロ充填推定値をフィルタリングして通信路伝達関数の推定値を取得するように構成されてよい。
【００５３】
更に、通信路推定器１１３は、本発明による通信路推定器１１３によってアクセス可能でない送信データに関連づけられた位置にゼロを挿入するように構成されてよい。これは、例えば、本発明による通信路推定器１１３があるユーザについて通信路伝達関数を推定するように割り当てられるマルチユーザ・シナリオで起こるかも知れない。この場合、例えば、他のユーザへ割り当てられた周波数点における通信路伝達関数の係数も、ゼロへ設定される。
【００５４】
更に、本発明による通信路推定器１１３は、更に、通信路伝達関数の推定値の外挿された係数を取得するため外挿を行うように構成されてよい。外挿は、更に、フィルタリング手段によっても実行可能である。
【００５５】
一般的に、通信路推定器１１３は、通信路伝達関数の推定値をフィルタリングして通信路伝達関数の平滑化された推定値を取得し、更なる反復のために、通信路伝達関数の平滑化された推定値を通信路伝達関数の推定値として検波器１１５へ提供するように構成されてよい。例えば、通信路推定器１１３は、通信路伝達関数の推定値をローパス・フィルタリングして、例えば、ある位置にゼロを挿入することによって、取得される通信路伝達関数の推定値を平滑化するように構成されてよい。
【００５６】
例えば、通信路推定器は、通信路伝達関数の推定値をウィーナーフィルタリングし、通信路伝達関数のウィーナーフィルタリングされた推定値を、検波を目的として検波器へ提供される通信路伝達関数の推定値として取得するように構成されてよい。
【００５７】
前述したように、通信路伝達関数を反復的に推定する本発明による装置は、受信信号のスペクトル及び受信信号の現在取得されたバージョンを利用することによって、周波数領域における通信路伝達関数を推定するように構成される。本発明の態様によれば、通信路伝達関数を反復的に推定する本発明による装置は、受信装置の一部分であってよい。受信装置は、受信信号を周波数領域へ変換して受信信号のスペクトルを取得するように構成された時間−周波数変換器、例えば、フーリエ変換器を含む。
【００５８】
しかし、本発明による装置は、更に、受信信号を時間−周波数変換して受信信号のスペクトルを取得する時間−周波数変換器、例えば、フーリエ変換器を含んでよい。
【００５９】
本発明の態様によれば、通信路伝達関数を反復的に推定する装置は、反復に使用される受信信号のスペクトルを記憶する記憶要素を含んでよい。例えば、記憶要素は通信路推定器１１３の一部分であってよい。
【００６０】
送信系列の推定値からデータ系列の推定値を取得するため、検波器１０１は、通信路伝達関数の推定値を使用して、送信信号の推定値、即ち、受信信号のスペクトルのバージョンを等化し、低減された通信路影響を有する等化された系列を取得し、等化系列の中のデータ系列を検波してデータ系列の推定値を取得するように構成されてよい。
【００６１】
例えば、検波器は、マルチキャリヤ方式で使用される周波数領域等化に従って、受信信号のスペクトルのバージョンを周波数領域等化するように構成される。
【００６２】
本発明は、更に、受信機装置を提供する。この受信機装置は、入力信号を復調して受信信号を取得する復調器、受信信号を時間−周波数変換して受信信号のスペクトルを取得する時間−周波数変換器、及び前述した説明に従って通信路伝達関数を反復的に推定する装置を含む。
【００６３】
更に、受信装置は、例えば、最後の反復ステップの後で、取得されるデータ系列の推定値から情報を抽出する手段を含んでよい。例えば、情報を抽出する手段は、例えば、源復号化手段などによってデータ系列の推定値を更に処理し、情報を抽出するように構成されてよい。
【００６４】
本発明によれば、通信路伝達関数は、本発明による推定スキームを使用して反復的に推定される。ここで、反復の回数は、例えば、送信系列の推定値の中でデータ系列を検波することに関連づけられたビット誤り率に依存してもよい。例えば、復号器は、ソフト復号スキームを実行してデータ系列の推定値の信頼度を示すソフト値を出力するように構成されてよい。ソフト出力値が、例えば、推定されたデータ系列の８０％の信頼度を示すとき、反復が停止されてよい。例えば、反復的な通信路推定プロセスを開始又は停止するため、検波器が更に通信路推定器を制御してよい。例えば、２〜３回の反復ステップで十分である。
【００６５】
以下では、図２〜図８に関して、本発明の更なる実施形態を説明する。
【００６６】
前述したように、例えば、再構成された副搬送波がゼロであるか、ある閾値よりも小さければ、ＬＳ通信路推定値はゼロへ設定される。
【００６７】
このようにして、フィルタリングされた通信路推定値は、雑音の向上及び通信路推定値の劣化を生じるだけであるゼロ値の副搬送波に依存しない。更に、ソフト及びハードの判定記号はＩＣＥのために使用可能である。
【００６８】
更に、ＩＣＥを有するこの新規なＭＬＳ推定方法は、ＷＨ拡散符号を有するＭＣ−ＣＤＭＡ方式へ限定されず、重ね合わせ又は配置がある閾値よりも小さい値を生じる一般的拡散符号又は記号アルファベットを有する他のＭＣ−ＣＤＭＡ、ＣＤＭＡ、又はマルチキャリヤ方式へ適用可能である。
【００６９】
新規なＭＬＳ推定方法を考慮することに加えて、本発明者らは、ＲＡＣＥの最初のステップでＭＬＳ推定値をＥＧ推定値（EG estimates）へ拡張することを新しく提案する。更に、本発明者らは、ＲＡＣＥの最初のステップでＭＬＳ推定値をＭＭＳＥ推定値へ拡張することを示唆する。このようにして、ゼロによる割り算は、低い信号対雑音比（ＳＮＲ）について完全に回避可能である。高いＳＮＲの場合、再び新規なＭＬＳ推定方法を適用することができる。
【００７０】
図２は、反復的通信路推定を有するＭＣ−ＣＤＭＡ方式のブロック図を示す。
【００７１】
送信機２０１は、通信路符号器２０３、インタリーバ２０５、及び変調器２０７を含み、通信路符号器、インタリーバ、及び変調器は直列に配列される。変調器の出力は、Ｍ個の並列ストリームを提供するように構成された直列−並列変換器（Ｓ／Ｐ）へ提供される。各々のストリームについて、送信機は、各々のデータ記号をウォルシュ・アダマール符号で拡散するように構成された拡散要素２０９を含む。続いて、拡散された系列は合算要素（summation element）へ提供される。合計要素は、Ｋ個の拡散された系列を重ね合わせて、合成、即ち、重ね合わせされたデータ・ストリームを取得するように構成される。Ｍ個の合成データ・ストリームは、並列−直列変換器へ提供され、Ｑ個のストリームからなるストリームが生じる。Ｑ個のストリームは、インタリーバ２１１を使用してインタリーブされ、処理された系列が取得される。その系列の中へ、単なる例であるが、多重化手段によって参照記号が導入される。結果の送信系列は、ＯＦＤＭ変調スキームを実行するように構成されたＯＦＤＭ変調器２１３へ提供される。ＯＦＤＭ変調スキームは周波数−時間変換を含み、図２で示されるマルチパス通信路によって送信される送信信号が取得される。
【００７２】
受信機装置２１５は、逆ＯＦＤＭ変調スキームを実行するように構成されたＯＦＤＭ復調器２１７を含む。復調器２１７の出力はデマルチプレクサ２１９へ結合される。デマルチプレクサ２１９は、復調器２１７によって提供された受信系列からパイロット記号を逆多重化するように構成される。受信系列は周波数領域の系列である。デマルチプレクサの出力は逆インタリーバ２２１へ結合される。逆インタリーバ２２１は、送信機の中でインタリーバ２１１によって実行されるインターリーブ法スキームの逆である逆インターリーブ法スキームを実行するように構成される。逆インタリーバ２２１はＱ個の出力を有する。ここで、単なる例として、Ｑ個の出力は検波器２２３へ結合される。検波器２２３はマルチユーザ検波器（ＭＵＤ）又は単一ユーザ検波器（ＳＵＤ）であってよい。検波器の出力は、インタリーバ２０５に対応する逆インタリーバ２２５へ結合される。ここで、逆インタリーバ２２５の出力は通信路復号器２２７へ結合される。通信路復号器２２７は、逆インタリーブされた系列を復号してデータ系列の推定値を取得するように構成される。注意すべきは、検波器２２３、逆インタリーバ２２５、及び通信路復号器２２７が、前述した復号器の一部分と考えられることである。
【００７３】
復号器の出力は、情報を抽出する手段２２９及び通信路符号器２３０の入力へ結合される。通信路符号器２３０はプロセッサ２３１の一部分である。通信路符号器２３０は、通信路符号器２０３によって実行される通信路符号化（エンコーディング）スキームと同じスキームを実行するように構成される。
【００７４】
プロセッサ２３１は、送信機によって実行される処理スキームと同じスキームを実行するように構成される。したがって、プロセッサは、更に、インタリーバ２０５に対応するインタリーバ２３１、インタリーバ２３１の出力へ結合された変調器２３３、変調器２０７に対応する変調器２３３、直列−並列変換器、Ｍ個の拡散要素２３５、Ｍ個の合計要素、並列−直列変換器、及びインタリーバ２１１に対応するインタリーバ２３７を含む。
【００７５】
本発明によれば、インタリーバ２３７の他の入力はゼロへ設定される。なぜなら、送信機の中でインタリーバ２１１へ提供される他のストリームは、受信機からアクセスできないからである。
【００７６】
インタリーバ２３７の出力は、推定器２３９の入力へ結合される。推定器２３９は、前述した本発明による通信路推定スキームを実行するように構成される。通信路推定器２３９の出力は、検波器２２３の更なる入力へ結合される。それは、検波目的のために、検波器２２３へ通信路状態情報を提供するためである。更に、通信路推定器は更なる入力を有し、この入力へ、デマルチプレクサ２１９の出力が結合される。それは、パイロット記号の受信バージョンを受け取って、前述したパイロット記号援助通信路推定を実行するためである。
【００７７】
図２は、ＩＣＥを有するＭＣ−ＣＤＭＡ方式のブロック図を表す。送信機側では、Ｋ個のユーザの各々のためにバイナリ源が存在する。ビットは通信路符号器によって符号化される。次に、符号ビットは符号ビット・インタリーバによってインタリーブされる。変調器は、異なるアルファベット、例えば、Ｍ項ＰＳＫ又はＭ項ＱＡＭに従って、複素数値記号へビットを割り当てる。直列−並列変換器は、変調された信号を、ＯＦＤＭ記号のユーザ当たりＭ個のデータ記号へ割り振る。Ｍ個のデータ記号の各々は、長さＬ（Ｌ≧Ｋ）のウォルシュ・アダマール系列で拡散される。全ての変調及び拡散された信号は、組み合わせられて１つのユーザ・グループを形成する。Ｑ個のユーザ・グループは、記号インタリーバによってインタリーブされ、参照記号と一緒に１つのＯＦＤＭフレームへ多重化される。次に、それらはＯＦＤＭ変調され、マルチパス通信路を介して送信される前に、保護区間（guard interval）によって循環的に拡張される。追加の白色ガウス雑音が付加される。
【００７８】
受信記号は、保護区間の分だけ短くされ、ＯＦＤＭ復調され、受信参照記号が受信データ記号から分離されて単一入力単一出力通信路推定器へ送られる。ＩＣＥの初期段階で（ｉ＝０）、通信路推定器は受信参照記号のみを使用して通信路状態情報を推定する。
【００７９】
受信データ記号を逆インタリーブした後、関心事のユーザ・グループがＱ個のユーザ・グループから識別され、マルチユーザ検波器（ＭＵＤ）は全てのユーザのソフト符号化ビットを戻す。ソフト符号化ビットは逆インタリーブされ、ソフト判定アルゴリズムを使用して最終的に復号される。復号されたビットは送信信号を再構成するために使用される。即ち、それらは再符号化され、符号ビット・インタリーブされ、記号アルファベットへ変調され、直列−並列変換され、拡散され、一緒に結合されて、ユーザ・グループ信号を形成する。受信機は他の独立ユーザ・グループの知識を有しないものと仮定されるから、再構成されたユーザ・グループ信号は、他のユーザ・グループからのデータ記号の代わりにゼロ記号で多重化され、周波数インタリーブされる。
【００８０】
ＩＣＥのｉ番目の反復では（ｉ＞０）、通信路推定器は受信参照記号及び再構成送信信号の知識を利用して、ＣＳＩ推定値の正確度を改善する。新しく取得されたＣＳＩ推定値はＭＵＤへ戻され、送信ビットの推定値が改善される。前述した反復的検波及び通信路推定は、数回にわたって反復可能である。
【００８１】
反復的受信機の最終段階では、ＭＵＤ又は単一ユーザ検波器（ＳＵＤ）のいずれかが、所望されるユーザのソフト符号化ビットを戻す。これらのビットは逆インタリーブされ、ソフト判定アルゴリズムを使用して最終的に復号される。受信側では、ビットは源ビットと比較され、誤りがカウントされる。
【００８２】
図３は単一ユーザ検波器（ＳＵＤ）のブロック図を示す。ＳＵＤは、Ｑ個の入力及びＭ個の出力を有する直列−並列変換器３０１を含む。各々の出力は検波ユニット３０３へ結合される。検波ユニット３０３は、例えば、通信路状態情報を使用して入力信号を等化する等化器を含む。検波ユニット３０３の出力は、Ｋ個の出力を有する逆拡散要素３０５の入力へ結合される。ここで、逆拡散ユニット３０５の出力は、Ｎ個の入力を有する並列−直列（Ｐ／Ｓ）変換器３０７の入力へ結合される。並列−直列変換器３０７は、復調器３０９へ結合された出力を有する。復調器３０９は出力を有する。
【００８３】
ＳＵＤは、Ｑ個の異なるユーザ・グループから関心事のユーザ・グループの信号を取得し、所望されるユーザの信号を検波する。等化された信号は逆拡散される。次に、所望されるユーザの全てのデータ記号が直列データ・ストリームへ結合される。記号逆マッパは、選択された記号アルファベットに基づいて各々のビットの対数尤度比を計算することによって、データ記号をビットへマップする。
【００８４】
ＭＵＤの例として、図４ａ〜図４ｃに示される並列干渉キャンセラ（ＰＩＣ）を考える。初期検波段階では（ｊ＝０）、全てのＫ個のアクティブユーザのデータ記号は、Ｋ個のＩＣanalysisブロックによって並列に検波され、Ｋ個のＩＣsynthesisブロックによって再構成される。Ｋ個のＩＣanalysisブロックの各々は、最初に図４ａで所望されるユーザの信号を検波する。次に、信号は逆拡散され、ソフト復調され、最終的に逆インタリーブされる。図４ｂの後のＩＣsynthesisブロックは、最初にソフト符号化ビットをソフトビットへ復号する。S.Kaiser,Multi-Carrier CDMA Mobile Radio Systems-Analysis and Optimization of Detection,Ph.D.thesis,1998.次に、ソフトビットは、再インタリーブされ、ソフト再変調される。取得された複素数値データ記号はユーザ特定拡散符号で拡散され、各々のチップには、送信される副搬送波へ割り当てられた通信路係数で事前にひずみが与えられる。
【００８５】
その後で、受信信号ｒから、全体の再構成された多元接続干渉（ＭＡＩ）が引かれる。即ち、ユーザｋについて、ユーザ１，．．．，ｋ−１，ｋ＋１，．．．，Ｋからの干渉が受信信号ｒから引かれる。ｊ番目の反復では（ｊ＞０）、Ｋ個の干渉低減信号
【数１】
2008512013.tif 000003
がＫ個のＩＣanalysisブロックによって並列に検波され、後のＫ個のＩＣsynthesisブロックによって再構成され、合計の再構成ＭＡＩ（multiple access interferences）が受信信号ｒから引かれる。
【００８６】
最後の検波段階では、ｋ番目のユーザの干渉除去抑圧信号がｋ番目のＩＣanalysisブロックによって検波され、最終的にソフト復号され、ハード判定されて、ユーザｋからの送信情報ビットが取得される。
【００８７】
以下では、参照援助及び反復的通信路推定を取り上げる。
【００８８】
このセクションは、判定されたデータ記号が追加の参照記号として使用される場合に、どのようにしてＩＣＥが参照記号援助通信路推定（ＲＡＣＥ）を更に改善できるかを研究する。
【００８９】
（特に）F.Sanzi and S.ten Brink,「Iterative channel estimation and decoding with product codes in multi-carrier systems,」 Boston,MA,USA,2000.pp.1338-1344 及び A.Haimovich,Y.Bar-Ness,and R.Manzo,「A stochastic gradient-based de-correlation algorithm with applications to multi-carrier CDMA,」 in IEEE 45th Vehicular Technology Conference,1995,1995,vol.1,pages 464-468 で開示されるように、多くの研究者が拡散スペクトル及びマルチキャリヤ方式について判定指向通信路推定（ＤＤＣＥ）及びＩＣＥを研究している。しかし、ＭＣ−ＣＤＭＡ及びウォルシュ・アダマール拡散に関して本明細書で説明するような初期及び後の段階での２ステップ通信路推定を有するＩＣＥは、研究されていない。
【００９０】
ＩＣＥの初期段階では、F.Sanzi,Kanalschaetzverfahren fuer Mobilfunksysteme mit Mehrtraegermodulation OFDM,Ph.D.thesis,Universitaet Stuttgart,2003及びS.Kaiser,Multi-Carrier CDMA Mobile Radio Systems-Analysis and Optimization of Detection,Ph.D.thesis,1998に従って、受信参照記号のみが使用され、２つのステップでＣＳＩが取得される。
【００９１】
第１のステップでは、受信された参照記号Ｒn',k'を、原型として送信された参照記号Ｓn',k'で割ることによって、参照記号が置かれた位置の通信路伝達関数の初期推定値
【数２】
2008512013.tif 000004
が取得される。即ち、
【数３】
2008512013.tif 000005
ここで、ＲはＯＦＤＭフレームの中の参照記号位置の集合を表す。
【００９２】
第２のステップでは、所望されるＯＦＤＭフレームに属する完全な通信路伝達関数の最終推定値が、それぞれ２−Ｄ補間又はフィルタリングによって初期推定値
【数４】
2008512013.tif 000006
から取得される。２−Ｄフィルタリングは、次式によって与えられる。
【数５】
2008512013.tif 000007
ここで、ωn',k',n,kは、フィルタのシフト変形２−Ｄインパルス応答である。部分集合τn,k∈Ｒは、
【数６】
2008512013.tif 000008
の推定で実際に使用される初期推定値
【数７】
2008512013.tif 000009
の集合である。フィルタ係数の数は、
Ｎtap＝‖τn,i‖≦Ｎgrid            （３）
及び
Ｎgrid＝‖Ｒ‖            （４）
【００９３】
式２のフィルタの例として、２−Ｄウィーナーフィルタを考える。F.Sanzi,Kanalschaetzverfahren fuer Mobilfunk systeme mit Mehrtraegermodulation OFDM,Ph.D.thesis,Universitaet Stuttgart,2003 で開示されるように、２−Ｄウィーナーフィルタは平均二乗誤差の意味で式２のフィルタリング問題への最適解決法であることが、文献からよく知られている。即ち、
ωn,k＝φ-1θn,k            （５）
ここで、θn,kのベクトル要素及びφの行列要素は、次式によって与えられる。
θn-n",i-i"＝Ｅ｛Ｈn,iＨ*n",i"｝            （６）
【数８】
2008512013.tif 000010
σ2、Ｅ｛｜Ｓn',i'｜2｝、δn'-n",i'-i"は、それぞれ、平均雑音分散、平均参照記号エネルギー、及びクロネッカーのデルタ関数である。
【００９４】
次に、推定されたＣＳＩは、後のＭＵＤ、符号ビット逆インタリーバ、及び復号器で使用され、送信された情報ビットの初期推定値が取得される。推定された情報ビットから送信信号を再構成した後、推定されたデータ記号及び送信された参照記号は、受信機で知られる参照記号の集合ＲICEとなる。
【００９５】
１つ以上の反復を有するＩＣＥについては、各々の反復で次のステップが実行されなければならない。
【００９６】
（１）送信された情報ビットの推定値から送信信号を再構成する。
（２）F.Sanzi,S.Jelting,and J.Speidel,「A comparative study of iterative channel estimators for mobile OFDM systems,」 IEEE Trans.Wireless Commun,pages 849-859,Sept.2003 で開示されるように、ＩＣＥの初期段階のＲＡＣＥに従って、ＲICEの全ての参照記号について式１のＬＳ推定値を計算する。
（３）F.Sanzi,S.Jelting,and J.Speidel,「A comparative study of iterative channel estimators for mobile OFDM systems,」 IEEE Trans.Wireless Commun,pages 849-859,Sept.2003で開示されるように、全ての参照記号の集合ＲICEにわたってＬＳ推定値をフィルタリングすることによって、通信路伝達関数の最終推定値を取得する。
（４）新しく推定されたＣＳＩを、後のＭＵＤ、符号ビット逆インタリーバ、及び復号器の中で使用して、送信された情報ビットの新しい推定値を取得する。
【００９７】
以下では、式１のＬＳ推定値がＩＣＥについて詳細に吟味される。Ｍ項ＱＡＭ又はＭ−ＰＳＫ変調を有するＯＦＤＭ方式において、データ記号を含有する副搬送波をゼロとすることはできない。したがって、ハード判定記号のためにＩＣＥで式１のＬＳ推定値を計算することは常に可能である。更に、F.Sanzi,Kanalschaetzverfahren fuer Mobilfunksysteme mit Mehrtraegermodulation OFDM,Ph.D.thesis,Universitaet Stuttgart,2003 は、ＩＣＥについてソフト判定記号を参照記号として考える。それはＭ項ＱＡＭ記号アルファベットについてゼロになることができる。ＬＳ推定でゼロによる割り算を避けるため、F.Sanzi,Kanalschaetzverfahren fuer Mobilfunksysteme mit Mehrtraegermodulation OFDM,Ph.D.thesis,Universitaet Stuttgart,2003は、受信された参照記号をソフト判定記号の分散で割り、それにソフト判定記号を掛けることによって、ＬＳ推定値を近似することを提案する。
【００９８】
この提案において、本発明者らはウォルシュ・アダマール拡散符号を有するＭＣ−ＣＤＭＡ方式を考察する。A.Burry,J.Egle,and J.Lindner,「Diversity comparison of spreading transforms for multi-carrier spread spectrum transmission,」 IEEE Trans.Commun.,vol.51,No.5,pages 774-781,May 2003は、ＷＨ拡散符号に起因して、ゼロ値の副搬送波が送信信号の中で起こることを例証している。例えば、図５は、バイナリＰＳＫ記号アルファベット及び８の拡散長について、可能な配置点及びそれらの相対的実現値を示す。推測できるように、ゼロの副搬送波は２７％の確率で起こる。４−ＱＡＭ記号アルファベット及び８の拡散長の場合、ゼロ値の副搬送波の確率は８％へ縮小されるが、依然として著しい。その結果、図１のＬＳ推定値は幾つかの副搬送波についてのみ計算可能であり、ＬＳ推定でゼロによる割り算を回避する方法を発見しなければならない。
【００９９】
一見すると、F.Sanzi,Kanalschaetzverfahren fuer Mobilfunksysteme mit Mehrtraegermodulation OFDM,Ph.D.thesis,Universitaet Stuttgart,2003によって提案された方法をＭＣ−ＣＤＭＡ方式へ拡張することができる。しかし、この方法は次のような欠点を有する。全ての可能な配置点、即ち、２MK個の点にわたって、ＩＣＥで使用される各々のソフト記号の分散及び値を計算することが必要である。ここで、Ｍは記号当たりのビット数であり、Ｋはアクティブユーザの数である。これはＣＥの複雑度を著しく増大させる。更に、ＷＨ拡散に起因して、ゼロ値の副搬送波が高い確率で起こり得る。このようにして、分散はソフト記号についてほとんどゼロになることができる。したがって、ＬＳ通信路推定値の近似は、強い雑音の向上及び通信路推定値の劣化を生じる。更に、近似はハード判定記号について有効ではなく、ソフト判定記号についてのみ有効である。
【０１００】
V.Kuehn 「Iterative interference cancellation and channel estimation for coded OFDM-CDMA,」 Anchorage,Alaska,USA,May 2003は、ＭＣ−ＣＤＭＡ方式の性能を吟味している。しかし、式１及び２によって記述される２ステップ通信路推定を使用するＤＤＣＥ又はＩＣＥは考察されていない。したがって、ＬＳ推定でのゼロによる割り算の上記の問題は吟味されていない。T.M.Schmidl,A.G.Dabak,and S.Hosur,「The use of iterative channel estimation(ICE)to improve link margin in wideband CDMA systems」,in IEEE 49th Vehicular Technology Conference,1999(VTC 1999)は、ＤＤＣＥ及びＩＣＥを有する直接系列ＣＤＭＡ方式を研究しているが、ＷＨ拡散を有するＣＤＭＡ方式について本明細書で指摘されるＬＳ推定問題への解決法を示していない。
【０１０１】
したがって、ＩＣＥのＬＳ推定器で、この問題を克服するため、本発明者らは、次の新規な方法、即ち、修正ＬＳ通信路推定を提案する。
【０１０２】
再構成された副搬送波の大きさがゼロに等しいか、ある閾値より小さければ、初期推定値
【数９】
2008512013.tif 000011
はゼロへ設定される。即ち、
【数１０】
2008512013.tif 000012
ここで、Ｓn',k'は、推定されたデータ記号を表し、Ｓn',k'は既知の参照記号を表し、ρth≧０∈Ｒは閾値を表し、｛ｎ’，ｋ’｝∈ＲICEは、受信機における推定されたデータ記号及び既知の参照記号の集合から取られた周波数及び時間のインデックスを表す。
【０１０３】
したがって、フィルタリングされた通信路推定値は、雑音の向上及び通信路推定値の劣化を生じるだけであるゼロ値の副搬送波に依存しない。更に、ソフト判定及びハード判定記号をＩＣＥに使用することができる。本発明者らが知る限り、この新規なＭＬＳ推定方法は、これまで提案されていない。
【０１０４】
以下では、式８の修正されたＬＳ推定値が拡張される。これはＭＣ−ＣＤＭＡのためにＳＵＤによって動機づけられる。フレーム内のチップに対する通信路の影響を除くため、受信信号Ｒn,kが等化係数Ｇn,kを掛けられ、次式が取得される。
Ｕn,k＝Ｇn,kＲn,k            （９）
【０１０５】
ＭＣ−ＣＤＭＡにおいて、次のＳＵＤは通信路の影響をある程度まで補償することができる。
【０１０６】
S.Kaiser,Multi-Carrier CDMA Mobile Radio Systems-Analysis and Optimization of Detection,Ph.D.thesis,1998で開示されるように、均等利得合成（ＥＧＣ;Equal Gain Combining）は、全ての使用された副搬送波を単位振幅で加重するダイバーシティ合成手法である。ＥＧＣを使用すると、各々の副搬送波は次式を掛けられて、その位相を補正される。
【数１１】
2008512013.tif 000013
【０１０７】
ゼロ強制（ＺＦ; Zero-Forcing）等化は、次のように等化係数を選ぶことによって、通信路の影響を完全に除去することができる。
【数１２】
2008512013.tif 000014
【０１０８】
したがって、本発明者らは、式８への次の拡張を提案する。
均等利得通信路推定値：
【数１３】
2008512013.tif 000015
ここで、ρth≧０∈Ｒ及び｛ｎ’，ｋ’｝∈ＲICEは、式８と同じ意味を有する。
【０１０９】
このセクションは、ＷＨ拡散、ＰＡＣＥ、及びＩＣＥを有するＭＣ−ＣＤＭＡ方式についてシミュレーション結果を与える。シミュレーション・パラメータは図８に列挙され、通信路モデルの電力遅延プロファイルは図６に示される。通信路モデルＡについては、電力遅延プロファイルΔτの非ゼロ・タップ間隔が２つの標本だけあり、最大遅延τmaxが２２の標本だけある。通信路モデルＢについては、Δτ＝１６であり、τmax＝１７６である。デフォルトとして、周波数方向のパイロット間隔が３であり、時間方向が９である。ＩＣＥは、１つのユーザ・グループの中で、全てのユーザからの全ての信号の検波を必要とするから、単一ユーザ検波器が全てのＫ個のユーザ信号へ適用される。ロバストなＰＡＣＥ及びＩＣＥについて、周波数方向で１５のフィルタ係数を有し、時間方向で４つのフィルタ係数を有する１Ｄ｜１Ｄウィーナーフィルタが使用されて、式２の通信路推定値が計算された。
【０１１０】
図７ａ及び図７ｂのビット誤り率（ＢＥＲ）曲線は、提案されたＩＣＥが、Ａ及びＢの通信路モデルの双方について、全ての場合に、ＰＡＣＥを改善できることを証明する。１０-4のＢＥＲで、ロバストＰＡＣＥと比較されたロバストＩＣＥの性能利得は、デフォルトのパイロット間隔τmax,フィルタ＝ＴGI及びＭＭＳＥ  ＳＵＤを有するＡ通信路について約１ｄＢである。ＭＭＳＥ  ＳＵＤをＰＩＣ  ＭＵＤで置換したとき、それは０．９ｄＢである。周波数方向で２４及び時間方向で１５のパイロット間隔が選ばれ、１Ｄ｜１Ｄウィーナーフィルタの遅延が通信路遅延とマッチされるならば、性能は、ＭＭＳＥ  ＳＵＤ及びＰＩＣ  ＭＵＤについて、それぞれ１．９ｄＢ及び１．４ｄＢだけ増大する。単一ユーザ範囲（ＳＵＢ）と比較されたＰＩＣ  ＭＵＤを有するロバストＩＣＥについて、ＭＡＩ及び不完全な通信路知識に起因する性能損失は、１０-4のＢＥＲでＰＩＣ  ＭＵＤを有するロバストＰＡＣＥの２．７ｄＢに対して１．８ｄＢへ縮小される。
【０１１１】
図７ｂでは、Ｂ通信路モデル及びデフォルトのパイロット間隔について、シミュレーション結果が表示される。周波数方向及び時間方向における３及び９のデフォルトのパイロット間隔は、この通信路モデルについて最適化されたことに注意されたい。したがって、提案されたＩＣＥの結果は非常に有望である。なぜなら、ＭＭＳＥ  ＳＵＤ及びＰＩＣ  ＭＵＤの場合、対応する検波アルゴリズムを有するＰＡＣＥと比較して、１０-4のＢＥＲで依然として約０．８ｄＢ及び０．９ｄＢの利得があるからである。ＭＭＳＥ  ＳＵＤ及びＰＩＣ  ＭＵＤを有する完全ＣＥとロバストＩＣＥとの間の性能損失は、それぞれ０．９ｄＢ及び０．８ｄＢであるにすぎない。
【０１１２】
本発明による通信路推定スキームは、反復的通信路推定器を有する受信機を使用するＭＣ−ＣＤＭＡ方式で使用可能である。ＭＣ−ＣＤＭＡ方式は、ユーザ当たり及びＯＦＤＭ記号当たりＭ個のデータ記号を並列に送信し、各々のデータ記号は長さＬのウォルシュ・アダマール符号で拡散される。例えば、ＷＨ符号を使用して拡散される系列の重ね合わせに起因して、ゼロ値の副搬送波が起こる。これはＩＣＥで最小二乗通信路推定値を計算するためには使用できない。したがって、本発明者らは新規な方法、即ち、修正されたＬＳ通信路推定値を提案し、この問題を克服する。即ち、再構成された副搬送波がゼロであるか、ある閾値よりも小さい場合、ＬＳ通信路推定値がゼロへ設定される。新規なＭＬＳ通信路推定は、ＩＣＥと共に、重ね合わせ又は配置がある閾値よりも小さい値を生じる一般的拡散符号又は記号アルファベットを有する任意の他のＭＣ−ＣＤＭＡ、ＣＤＭＡ、又はマルチキャリヤ方式へ適用可能であることに注意されたい。更に、本発明者らは、ＭＬＳ通信路推定値を均等利得又はＭＭＳＥ通信路推定値へ拡張することを提案する。本発明者らは、更に、通信路統計量が完全に知られていない場合に、新規な方法のロバスト性を吟味する。シミュレーションの結果は、ロバストＰＡＣＥについて最適化されたパイロット間隔及びロバスト仮定でも、ロバストＩＣＥがロバストＰＡＣＥを改善できることを証明する。
【０１１３】
この提案において、本発明者らは、反復的通信路推定器（ＩＣＥ）を有する受信機を使用するマルチキャリヤ符号分割多元接続（ＭＣ−ＣＤＭＡ）方式の性能を吟味する。ＭＣ−ＣＤＭＡ方式は、ユーザ当たり、及び直交周波数分割多重変調（ＯＦＤＭ）記号当たりで、Ｍ個のデータ記号を並列に送信し、各々のデータ記号は長さＬのウォルシュ・アダマール（ＷＨ）符号で拡散される。例えば、ＷＨ符号を使用して拡散される系列（拡散系列）の重ね合わせに起因して、ゼロ値の副搬送波が起こり得る。これはＩＣＥで最小二乗（ＬＳ）通信路推定値を計算するために使用され得ない。したがって、本発明者らは、新規な方法、即ち、修正ＬＳ（ＭＬＳ）通信路推定値を提案して、この問題を克服する。即ち、再構成された副搬送波がゼロであるか、閾値よりも小さければ、ＬＳ通信路推定値はゼロへ設定される。新規なＭＬＳ通信路推定は、ＩＣＥと共に、重ね合わせ又は配置がある閾値よりも小さい値を生じる一般的拡散符号又は記号アルファベットを有する任意の他のＭＣ−ＣＤＭＡ、ＣＤＭＡ、又はマルチキャリヤ方式へ適用可能であることに注意されたい。更に、本発明者らは、ＭＬＳ通信路推定値を均等利得（ＥＧ）又は最小平均二乗誤差（ＭＭＳＥ）通信路推定値へ拡張することを提案する。本発明者らは、更に、通信路統計量が完全に知られていない場合、新規な方法のロバスト性を吟味する。
【０１１４】
更に、本発明による方法のある実現要件に依存して、本発明による方法はハードウェア又はソフトウェアで実現可能である。実現は、ディジタル記録媒体、特に、電子的に読み取り可能な制御信号を記憶されたディスク又はＣＤを使用して実行可能である。ディジタル記憶メディアはプログラム可能なコンピュータ・システムと協働して、本発明による方法が実行されるようにする。したがって、一般的に、本発明は機械読み取り可能媒体に記憶されたプログラム・コードを有するコンピュータ・プログラムプロダクトであり、プログラム・コードは、コンピュータ・プログラムプロダクトがコンピュータで実行するとき、本発明による方法の少なくとも１つを実行するように構成される。したがって、言い換えれば、本発明による方法は、コンピュータ・プログラムがコンピュータで実行するとき、本発明による方法を実行するプログラム・コードを有するコンピュータ・プログラムである。
【図面の簡単な説明】
【０１１５】
【図１】本発明の実施形態に従って通信路伝達関数を反復的に推定する装置を示す。
【図２】本発明の実施形態に従った反復的通信路推定を有するＭＣ−ＣＤＭＡ方式のブロック図を示す。
【図３】単一ユーザ検波器を示す。
【図４ａ】干渉除去抑圧分析ブロックのブロック図を示す。
【図４ｂ】干渉除去抑圧合成ブロックのブロック図を示す。
【図４ｃ】並列干渉キャンセラを示す。
【図５】バイナリＰＣＫ記号アルファベット及び８に等しい拡散長を有する副搬送波の配置点を示す。
【図６】通信路モデルの電力遅延プロファイルを示す。
【図７ａ】本発明による解決法の性能を証明する。
【図７ｂ】本発明による解決法の性能を示す。
【図８】システム・パラメータを示す。
【図１】
2008512013.tif 000016
【図２】
2008512013.tif 000017
【図３】
2008512013.tif 000018
【図４ａ】
2008512013.tif 000019
【図４ｂ】
2008512013.tif 000020
【図４ｃ】
2008512013.tif 000021
【図５】
2008512013.tif 000022
【図６】
2008512013.tif 000023
【図７ａ】
2008512013.tif 000024
【図７ｂ】
2008512013.tif 000025
【図８】
2008512013.tif 000026
【手続補正書】
【提出日】平成18年9月6日(2006.9.6)
【手続補正１】
【補正対象書類名】特許請求の範囲
【補正対象項目名】全文
【補正方法】変更
【補正の内容】
【特許請求の範囲】
【請求項１】
ある処理スキームを用いる処理を行ってデータ系列から生じる送信系列を周波数−時間変換することにより得られ、通信路を通して送信されるマルチキャリヤ拡散スペクトル送信信号について、該送信信号の受信可能バージョンであるマルチキャリヤ拡散スペクトルの受信した信号から通信路の通信路伝達関数を反復的に推定する装置であって、
前記受信信号のスペクトルのあるバージョンから前記データ系列についての推定値を取得する検波器と、
前記処理スキームを使用して前記データ系列についての推定値を処理し、前記送信系列についての推定値を取得するプロセッサと、
送信系列の該推定値及び受信信号の前記スペクトルを使用して通信路伝達関数を推定し、該通信路伝達関数についての推定値を取得する通信路推定器と
を備えてなり、該通信路推定器は、ある周波数点における送信系列の推定値の振幅が閾値より小さいとき、ある所定値を前記周波数点における通信路伝達関数の推定値として提供し、前記周波数点における送信系列の推定値の振幅が閾値より大きいとき、前記周波数点における送信系列の推定値を該周波数点における受信信号のスペクトルの値と組み合わせて、該周波数点における通信路伝達関数の推定値を取得するものであり、前記検波器は、更なる反復によって通信路伝達関数の推定値からデータ系列の更なる推定値を取得するものである、装置。
【請求項２】
前記検波器は、送信系列についての推定値からデータ系列についての更なる推定値を取得し、前記プロセッサは、データ系列の更なる推定値を処理して前記送信系列の更なる推定値を受信信号のスペクトルのあるバージョンとして取得するものであり、前記通信路推定器は、送信系列の該更なる推定値を使用して通信路伝達関数を推定し、該通信路伝達関数の推定値を取得するものである、請求項１に記載の装置。
【請求項３】
前記所定値がゼロであるか、又は前の反復において取得された周波数点における通信路伝達関数の推定値である、請求項１又は２に記載の装置。
【請求項４】
前記閾値は、０と、可能な送信系列値の集合からの最小送信系列値に対する１０％値との間の範囲にある、請求項１〜３のいずれかに記載の装置。
【請求項５】
前記通信路推定器は、最小二乗推定又は最小平均二乗誤差推定を実行して通信路伝達関数の推定値を取得する、請求項１〜４のいずれかに記載の装置。
【請求項６】
前記通信路推定器は、送信系列の推定値によって受信系列のスペクトル値を除算するか、送信系列の推定値の複素共役値を受信系列のスペクトル値に掛けて、最小二乗推定を実行する、請求項５に記載の装置。
【請求項７】
受信信号の前記スペクトルがスペクトル値の集合を含み、スペクトル値の集合の中の各々のスペクトル値は、同じ周波数点における異なる時点で受け取られるものであり、前記通信路推定器は、異なる時点について該周波数点における通信路伝達関数を推定する、請求項１〜６のいずれかに記載の装置。
【請求項８】
受信信号の前記スペクトルが副搬送波値の集合を含み、副搬送波値の該集合の中の副搬送波値のそれぞれは、異なる周波数点に関連し、前記通信路推定器が、異なる周波数点における通信路伝達関数を推定する、請求項１〜７のいずれかに記載の装置。
【請求項９】
受信信号の前記スペクトルが受信値の集合を含み、受信値の該集合は、パイロット位置におけるパイロット記号の受信バージョンを含み、該パイロット記号は通信路推定のために送信機によって送信され、前記通信路推定器が、パイロット記号、及びパイロット記号の受信バージョンを使用して、パイロット位置における通信路伝達関数を推定する、請求項１〜８のいずれかに記載の装置。
【請求項１０】
前記受信値の前記集合が、パイロット記号の前記受信バージョンの間の中間位置におけるデータ値を含み、前記通信路推定器が、パイロット位置における通信路伝達関数の推定値の間を補間することによって、前記中間位置における通信路伝達関数を推定する、請求項９に記載の装置。
【請求項１１】
前記通信路推定器は、前記中間位置にゼロを挿入して前記通信路伝達関数のゼロ充填推定値を取得し、前記通信路伝達関数についての該ゼロ充填推定値をフィルタリングして通信路伝達関数の推定値を取得する、請求項１０に記載の装置。
【請求項１２】
前記通信路推定器が、通信路伝達関数の推定値をフィルタリングして通信路伝達関数の平滑化された推定値を取得し、通信路伝達関数の平滑化された推定値を通信路伝達関数として検波器へ提供する、請求項１〜１１のいずれかに記載の装置。
【請求項１３】
前記通信路推定器が、通信路伝達関数の推定値をローパス・フィルタリングする、請求項１２に記載の装置。
【請求項１４】
前記通信路推定器が、通信路伝達関数の推定値をウィーナーフィルタリングするように構成される、請求項１２及び１３に記載の装置。
【請求項１５】
受信信号を時間−周波数変換して受信信号のスペクトルを取得する時間−周波数変換器を含む、請求項１〜１４のいずれかに記載の装置。
【請求項１６】
前記検波器が、通信路伝達関数についての前記推定値を使用して受信信号のスペクトルを等化し、等化された系列を取得し、等化された該系列の中のデータ系列を検波してデータ系列の推定値を取得する、請求項１〜１５のいずれかに記載の装置。
【請求項１７】
検波器が、受信信号のスペクトルの前記バージョンを周波数領域において等化するように構成される、請求項１６に記載の装置。
【請求項１８】
処理スキームが、データ系列を符号化して符号化された系列を取得し、符号化された該系列を変調することを含む、請求項１〜１７のいずれかに記載の装置。
【請求項１９】
入力信号を復調して受信信号を取得する復調器と、
受信信号を時間−周波数変換して受信信号のスペクトルを取得する時間−周波数変換器と、
通信路伝達関数を反復的に推定する請求項１〜１８のいずれかに記載の装置と
を備えてなる受信機装置。
【請求項２０】
ある処理スキームを用いる処理を行ってデータ系列から生じる送信系列を周波数−時間変換することにより得られ、通信路を通して送信されるマルチキャリヤ拡散スペクトル送信信号について、該送信信号の受信可能バージョンであるマルチキャリヤ拡散スペクトル受信信号から通信路の通信路伝達関数を反復的に推定する方法であって、
前記受信信号のスペクトルのあるバージョンからデータ系列についての推定値を取得し、
前記処理スキームを使用して前記データ系列についての推定値を処理し、前記送信系列についての推定値を取得し、
送信系列の該推定値及び受信信号の前記スペクトルを使用して通信路伝達関数を推定し、該通信路伝達関数についての推定値を取得し、送信系列の該推定値の振幅が閾値より小さいとき、前記周波数点における通信路伝達関数の推定値としてある所定値が提供され、該周波数点における送信系列の推定値の振幅が閾値より大きいとき、送信系列の推定値が周波数点における受信信号のスペクトル値と組み合わせられて、該周波数点における通信路伝達関数の推定値が取得され、
通信路伝達関数の該推定値を使用して、更なる反復によってデータ系列の更なる推定値を取得する
ことを含む方法。
【請求項２１】
入力信号を復調して受信信号を取得するステップと、
受信信号を時間−周波数変換して受信信号のスペクトルを取得するステップと、
請求項２１に従って受信信号から通信路伝達関数を反復的に推定するステップと
を含む、受信方法。
【請求項２２】
コンピュータで実行するとき、請求項２０又は２１に記載の方法を実行するコンピュータ・プログラム。
【国際調査報告】
2008512013.tif 000027
2008512013.tif 000028
2008512013.tif 000029